(57)【要約】【課題】カフの収納時における装置の小型化を実現した血圧計を提供すること。【解決手段】血圧計１００は、複数のケース部材１１１〜１１６が互いに回動自在に連結されてリング状に配置されることで、カフを収納する収納部を形成する。また、血圧計１００は、複数のケース部材１１１〜１１６が複数のトルクヒンジ１４０または回転ヒンジ１５０によって連結され、互いに回動することにより、カフを収納した状態でケース部材１１１〜１１６が折りたたまれた収納状態と展開された開口状態を取ることができる。【選択図】図２
2008246044.tif 000002
【特許請求の範囲】
【請求項１】
カフを収納した血圧計において、
少なくとも４つのケース部材が互いに回動自在に連結されてリング状に配置されることで、前記カフを収納する収納部を形成し、
前記ケース部材は互いに回動することにより、前記カフを収納した状態で前記ケース部材が折りたたまれた状態と展開された状態を取ることができることを特徴とする血圧計。
【請求項２】
前記ケース部材の少なくともひとつに表示部を備えたことを特徴とする請求項１に記載の血圧計。
【請求項３】
前記本体に対し、前記フタが開く方向に付勢するための弾性体を設けたことを特徴とする請求項１に記載の血圧計。
【請求項４】
前記弾性体の付勢力を調整する調整機構を設けたことを特徴とする請求項２に記載の血圧計。
【請求項５】
前記カフは、カフリングと、当該カフリングの外側に阻血袋を有し、当該阻血袋の外側にカフ帯を有することを特徴とする請求項１に記載の血圧計。
【請求項６】
前記カフ帯は、軸方向に対する周方向の伸張率が低いことを特徴とする請求項５に記載の血圧計。
【請求項７】
前記カフリングは、２つの開口部を有し、当該２つの開口部にはそれぞれ支持部材が設けられており、
前記支持部材は、前記本体および／または前記フタに嵌合していることを特徴とする請求項５に記載の血圧計。
【請求項８】
隣接するケース部材間の一方に設けられ、前記フタが開いている状態で、隣接するケース部材間に位置する第１のロック部材と、
前記フタが開いている状態で、隣接するケース部材間の他方に設けられ、前記第１のロック部材が係止される第１の係止部材と、を有する第１のロック機構をさらに備え、
前記第１のロック機構は、前記フタが開いている状態を保持することを特徴とする請求項１に記載の血圧計。
【請求項９】
前記第１のロック機構は、前記第１のロック部材の係止を解除する第１のボタンを備えることを特徴とする請求項８に記載の血圧計。
【請求項１０】
対向するケース部材の一方に設けられ、前記フタが閉じている状態で、対向するケース部材間に位置する第２のロック部材と、
前記フタが閉じている状態で、対向するケース部材間の他方に設けられ、前記第２のロック部材が係止される第２の係止部材と、を有する第２のロック機構をさらに備え、
前記第２のロック機構は、前記フタが閉じている状態を保持することを特徴とする請求項１に記載の血圧計。
【請求項１１】
前記第２のロック機構は、前記第２のロック部材に接続して、前記第２のロック部材の係止を解除する第２のボタンを備えることを特徴とする請求項１０に記載の血圧計。
【請求項１２】
カフと、
前記カフの外周を囲む複数のケース部材と、
前記複数のケース部材を互いに回動自在に連結し、前記カフが開口した開口状態と、前記カフが収納された収納状態と、に複数の前記ケース部材を変形させるヒンジと、
前記開口状態、および前記収納状態をそれぞれ保持するために複数の前記ケース部材の一部をロックするロック部材と、
を備えることを特徴とする血圧計。
【発明の詳細な説明】
【技術分野】
【０００１】
この発明は、生体に装着して血圧を測定する電子血圧計に関し、特に、カフが開口する開口状態とカフが収納された収納状態とに変形自在な血圧計に関する。
【背景技術】
【０００２】
近年、ボタン操作により、カフ内に自動的にエアを送り込み、生体（たとえば、上腕）へカフを巻き付けることによって、血圧の測定をおこなう電子血圧計が普及している。このような電子血圧計においては、一般に、本体ケースの所定位置に腕を挿入するための中空開口部が設けられ、この中空開口部の内周面に上腕を圧迫・固定するためのカフが配置される。そして、測定開始ボタンを押下することにより、中空開口部内に腕が挿入されたカフにエアを送り込み、血圧の測定がおこなわれる。
【０００３】
このような電子血圧計において、非使用時の収納性を向上させるために、カフをケース内に収納自在にした技術が知られている。具体的には、ケースカバーと、外周に複数の硬質板を備えたカフとをリンク棒で接続し、ケースのカバーを開くときにはカフが円筒形に開かれ、ケースのカバーを閉じるときにはカフが折りたたまれるようにした技術が提案されている（たとえば、下記特許文献１参照。）。
【０００４】
また、指式血圧計において、本体に対して開閉可能なフタと、フタの内側に部分的に固定される指カフとを備えて構成し、フタを閉めることにより指カフが指カフ収納部に収納され、フタを開けることにより指カフへの指挿入が可能な状態となるようにした技術が提案されている（たとえば、下記特許文献２参照。）。具体的には、カフとカーラとの間に環状のバネ板を外周方向に介設させることで指カフに円筒状に開く方向の力を常時作用させ、フタを開いたときに指カフが略円筒形状に回復するようにしている。さらに、測定結果を表示する表示部をフタに設けている。
【０００５】
【特許文献１】特開２００２−１０２１８１号公報
【特許文献２】特許第３２１８９１９号
【発明の開示】
【発明が解決しようとする課題】
【０００６】
しかしながら、上述した特許文献１に記載の技術では、表示部および本体がカフの横側に配置されているので、その分だけ筐体が大きくなるという問題点がある。また、特許文献２に記載の技術では、表示部がフタに設けてあり、表示部が測定時に指カフ収納部に対して垂直になってしまい、使用者は、測定結果を確認するのに首をかしげる必要があり、煩わしいといった問題点がある。なお、特許文献２に記載の技術であっても、指カフ収納部としての収納ケース内に指カフを収納するようにしているため、収納ケースを設けた分、装置が大型化してしまい、特に、腕式血圧計に転用した場合には、装置の大型化は顕著になるという問題点がある。
【０００７】
この発明は、上述した従来技術による問題点を解消するため、装置の小型化を目的とし、特に、カフの収納時における装置の小型化を実現でき、表示画面に対する視認性を向上できる血圧計を提供することを目的とする。
【課題を解決するための手段】
【０００８】
上述した課題を解決し、目的を達成するため、請求項１の発明にかかる血圧計は、カフを収納した血圧計において、少なくとも４つのケース部材が互いに回動自在に連結されてリング状に配置されることで、前記カフを収納する収納部を形成し、前記ケース部材は互いに回動することにより、前記カフを収納した状態で前記ケース部材が折りたたまれた状態と展開された状態を取ることができることを特徴とする。
【０００９】
また、請求項２の発明にかかる血圧計は、請求項１に記載の発明において、前記ケース部材の少なくともひとつに表示部を備えたことを特徴とする。
【００１０】
また、請求項３の発明にかかる血圧計は、請求項１に記載の発明において、前記本体に対し、前記フタが開く方向に付勢するための弾性体を設けたことを特徴とする。
【００１１】
また、請求項４の発明にかかる血圧計は、請求項３に記載の発明において、前記弾性体の付勢力を調整する調整機構を設けたことを特徴とする。
【００１２】
また、請求項５の発明にかかる血圧計は、請求項１に記載の発明において、前記カフは、カフリングと、当該カフリングの外側に阻血袋を有し、当該阻血袋の外側にカフ帯を有することを特徴とする。
【００１３】
また、請求項６の発明にかかる血圧計は、請求項５に記載の発明において、前記カフ帯は、軸方向に対する周方向の伸張率が低いことを特徴とする。
【００１４】
また、請求項７の発明にかかる血圧計は、請求項５に記載の発明において、前記カフリングは、２つの開口部を有し、当該２つの開口部にはそれぞれ支持部材が設けられており、前記支持部材は、前記本体および／または前記フタに嵌合していることを特徴とする。
【００１５】
また、請求項８の発明にかかる血圧計は、請求項１に記載の発明において、隣接するケース部材間の一方に設けられ、前記フタが開いている状態で、隣接するケース部材間に位置する第１のロック部材と、前記フタが開いている状態で、隣接するケース部材間の他方に設けられ、前記第１のロック部材が係止される第１の係止部材と、を有する第１のロック機構をさらに備え、前記第１のロック機構は、前記フタが開いている状態を保持することを特徴とする。
【００１６】
また、請求項９の発明にかかる血圧計は、請求項８に記載の発明において、前記第１のロック機構は、前記第１のロック部材の係止を解除する第１のボタンを備えることを特徴とする。
【００１７】
また、請求項１０の発明にかかる血圧計は、請求項１に記載の発明において、対向するケース部材の一方に設けられ、前記フタが閉じている状態で、対向するケース部材間に位置する第２のロック部材と、前記フタが閉じている状態で、対向するケース部材間の他方に設けられ、前記第２のロック部材が係止される第２の係止部材と、を有する第２のロック機構をさらに備え、前記第２のロック機構は、前記フタが閉じている状態を保持することを特徴とする。
【００１８】
また、請求項１１の発明にかかる血圧計は、請求項１０に記載の発明において、前記第２のロック機構は、前記第２のロック部材に接続して、前記第２のロック部材の係止を解除する第２のボタンを備えることを特徴とする。
【００１９】
また、請求項１２の発明にかかる血圧計は、カフと、前記カフの外周を囲む複数のケース部材と、前記複数のケース部材を互いに回動自在に連結し、前記カフが開口した開口状態と、前記カフが収納された収納状態と、に複数の前記ケース部材を変形させるヒンジと、前記開口状態、および前記収納状態をそれぞれ保持するために複数の前記ケース部材の一部をロックするロック部材と、を備えることを特徴とする。
【発明の効果】
【００２０】
本発明にかかる血圧計によれば、ケース部材がカフの周囲をリング状に取り囲むことにより、全てのケース部材が両端支持構造となり、強度を損ねることなく小型化ができる。
【発明を実施するための最良の形態】
【００２１】
以下に添付図面を参照して、この発明にかかる血圧計の好適な実施の形態を詳細に説明する。
【００２２】
（実施の形態１）
（開口状態における血圧計１００の構成）
図１は、本発明の実施の形態１にかかる血圧計の全体構成を示した概要図である。本発明の実施の形態１にかかる血圧計１００は、折りたたみ可能なものであり、折りたたまれた収納状態と、展開された使用時の状態（以下、開口状態という）とに変形自在である。図１に示した状態は、開口状態である。なお、収納状態については、後述する。
【００２３】
血圧計１００は、装置筐体１１０と、カフ１２０と、表示ユニット１３０と、を備えて構成されている。装置筐体１１０は、フタとなる第１のケース部材１１１と、側板となる第２のケース部材１１２と、中間部材となる第３のケース部材１１３と、本体となる第４のケース部材１１４と、側板となる第５のケース部材１１５と、中間部材となる第６のケース部材１１６と、から構成されている。なお、中間部材は、後述する直方体形状の収納状態において、高さ方向の成分を構成する。
【００２４】
各ケース部材１１１〜１１６は、複数のトルクヒンジ１４０または複数の回転ヒンジ１５０によって、それぞれ連結されている。また、第１のケース部材１１１、第２のケース部材１１２、第４のケース部材１１４には、隣接するケース部材と互いに干渉しないよう、それぞれ各ケース部材が重なり合って摺接する部位に、摺接溝１６０，１６１，１６２が設けられている。
【００２５】
カフ１２０は、連結されたケース部材１１１〜１１６内に配置されている。表示ユニット１３０は、第１のケース部材１１１に設けられ、開口状態において、装置筐体１１０の上部に位置している。なお、詳細については後述するが、符号１７０は、開口状態を保持するための第１のロック機構の一構成部である第１のボタンを示し、符号１８０は、収納状態を保持するための第２のロック機構の一構成部である第２のボタンを示す。
【００２６】
（血圧計１００の詳細な構成）
つぎに、図２を用いて、血圧計１００の詳細な構成について説明する。図２は、本発明の実施の形態１にかかる血圧計の分解斜視図である。実施の形態１にかかる血圧計１００は、装置筐体１１０を構成するケース部材１１１〜１１６内に、第１のロック機構２７０と、第２のロック機構２８０と、を備えて構成している。
【００２７】
（各ケース部材１１１〜１１６の構成）
第１のケース部材１１１はフタとなり、最上部に位置し、対向して本体となる第４のケース部材１１４が設けられる。第１のケース部材１１１と第４のケース部材１１４との間には、側板となる第２のケース部材１１２と第４のケース部材１１４とが設けられる。第３のケース部材１１３は、第２のケース部材１１２と第４のケース部材１１４との間に設けられる中間部材である。第６のケース部材１１６は、第１のケース部材１１１と第５のケース部材１１５との間に設けられる中間部材である。
【００２８】
第１のケース部材１１１は、天板部２１０と、側壁部２１１とを備えて構成される。天板部２１０の表面側には、表示ユニット１３０が収納される収納部が設けられており、表示ユニット１３０が埋め込まれるようになっている。天板部２１０の一側端には、両端が開口する円筒部２１２が設けられている。この円筒部２１２の両端の開口には、トルクヒンジ１４０が挿嵌される挿嵌孔２１４が形成されている。
【００２９】
また、円筒部２１２の両端近傍の外周面上には、トルクヒンジ１４０の回転を防止するための留付部材が挿入可能な留付孔２１５が開口形成されている。また、円筒部２１２の長手方向の長さは、天板部２１０の長さよりも短くなっており、円筒部２１２の両端には、第２のケース部材１１２と接合する接合部２１６が形成されている。また、天板部２１０の他側端には、切欠部２１７が形成されている。この切欠部２１７には、回転ヒンジ１５０が挿通される挿通孔（不図示）が開口形成されている。また、切欠部２１７の天板部２１０側には、開口状態において、後述する第６のケース部材１１６のストッパが係止するストッパ受け部２１９が形成されている。
【００３０】
側壁部２１１には、第１のロック機構２７０を支持する支持受２１８が設けられている。また、側壁部２１１には、後述する血圧計１００の収納動作または開口動作において、第６のケース部材１１６の側壁部２６１に摺接する摺接溝１６０が形成されている。
【００３１】
第２のケース部材１１２は、平面部２２０と、側壁部２２１とを備えて構成される。平面部２２０は、第２のロック機構２８０の一構成部である第２のボタン１８０を収納する収納孔２２２が形成されている。また、平面部２２０は、内側に、不図示の補強用のリブが設けられている。この補強用のリブについては、後述する第５のケース部材１１５の説明において、詳細に説明する。また、平面部２２０の一側端には、平面部２２０および側壁部２２１から突出した突出部２２３が設けられている。この突出部２２３には、トルクヒンジ１４０が挿嵌される挿嵌孔２２４が設けられている。挿嵌孔２２４は、トルクヒンジ１４０の一端の形状と同様の形状であり、トルクヒンジ１４０の一端に係合可能な、たとえば、六角形状に形成されている。
【００３２】
また、平面部２２０の他側端には、切欠部２２５が形成されている。この切欠部２２５には、回転ヒンジ１５０が挿通される挿通孔２２６が開口形成されている。また、切欠部２２５の平面部２２０側には、開口状態において、後述する第３のケース部材１１３のストッパ２３４と係止するストッパ受け部２２９が形成されている。
【００３３】
側壁部２２１は、第２のロック機構２８０を支持する支持受２２７が形成されている。また、側壁部２２１には、血圧計１００の収納動作または開口動作において、第３のケース部材１１３の側壁部２３１が摺接する摺接溝１６１が形成されている。
【００３４】
第３のケース部材１１３は、平面部２３０と、略三角形状の側壁部２３１とを備えて構成される。側壁部２３１の基部には、平面部２３０および側壁部２３１から突設される突設部２３２が設けられている。この突設部２３２には、回転ヒンジ１５０が挿通される挿通孔２３３が開口形成されている。また、平面部２３０の四隅には、平面部２３０から迫り出して形成されたストッパ２３４が設けられている。
【００３５】
第４のケース部材１１４は、不図示の底面部と、側壁部２４０とを備えて構成される。また、第４のケース部材１１４内には、隔壁２４１が設けられ、隔壁２４１を介して、ポンプ設置部２４２と電池設置部２４３とに仕切られている。底面部の一側端には、底面部および側壁部２４０の一部が切り込まれた切欠部２４４が形成されている。この切欠部２４４には、回転ヒンジ１５０が挿通される挿通孔２４５が開口形成されている。また、切欠部２４４の底面部側には、開口状態において、第３のケース部材１１３のストッパ２３４に係止するストッパ受け部２４９が形成されている。
【００３６】
また、底面部の他側端には、両端が開口する円筒部２４６が設けられている。この円筒部２４６の両端の開口には、トルクヒンジ１４０が挿嵌される挿嵌孔２４７が形成されている。また、円筒部２４６の両端近傍の外周面上には、トルクヒンジ１４０の回転を防止するための留付部材が挿入可能な留付孔（不図示）が形成されている。
【００３７】
また、円筒部２４６の長手方向の長さは、底面部の長さよりも短くなっており、円筒部２４６の両端には、第５のケース部材１１５と接合する接合部２４８が形成されている。また、側壁部２４０には、血圧計１００の収納動作または開口動作において、第３のケース部材１１３の側壁部２３１が摺接する摺接溝１６２が形成されている。
【００３８】
第５のケース部材１１５は、平面部２５０と、側壁部２５１とを備えて構成される。平面部２５０には、補強用のリブ２５２が設けられている。リブ２５２は、円弧状に形成されており、開口状態において、カフ１２０の外周に沿うようになっている。なお、上述した第２のケース部材１１２のリブについても、図示されていないが、同様の構成となっている。また、平面部２５０の一側端には、側壁部２５１から突出した突出部２５３が設けられている。この突出部２５３には、トルクヒンジ１４０が挿嵌される挿嵌孔２５４が設けられている。挿嵌孔２５４は、第２のケース部材１１２の挿嵌孔２２４と同様に、六角形状に形成されている。
【００３９】
また、平面部２５０の他側端には、切欠部２５５が形成されている。この切欠部２５５には、回転ヒンジ１５０が挿通される挿通孔（不図示）が開口形成されている。また、切欠部２５５の平面部２５０側には、開口状態において、後述する第６のケース部材１１６のストッパ（不図示）に係止するストッパ受け部２６９が形成されている。
【００４０】
また、第５のケース部材１１５の側壁部２５１には、第１のロック機構２７０が係止される第１の係止突起２５６と、第２のロック機構２８０が係止される第２の係止突起２５７が設けられている。また、側壁部２５１と、最も外側の位置に配置されるリブ２５２との間には、突壁２５８が設けられている。この突壁２５８と、最も外側の位置に配置されるリブ２５２との間には、カフ１２０の端部が嵌合するカフ嵌合溝２５９が形成されている。なお、上述した第２のケース部材１１２の内面にも、同様のカフ嵌合溝が形成されている。
【００４１】
第６のケース部材１１６は、第３のケース部材１１３と略同様の構成であり、平面部２６０と、略三角形状の側壁部２６１とを備えて構成される。側壁部２６１の基部には、平面部２６０および側壁部２６１から突設される突設部２６２が設けられている。この突設部２６２には、回転ヒンジ１５０が挿通される挿通孔２６３が開口形成されている。また、平面部２６０の四隅には、平面部２６０から迫り出して形成されたストッパ（不図示）が形成されている。
【００４２】
（各ケース部材１１１〜１１６の連結について）
つぎに、各ケース部材１１１〜１１６の連結について説明する。第１のケース部材１１１と第２のケース部材１１２とは、トルクヒンジ１４０によって、連結される。第１のケース部材１１１と第２のケース部材１１２とは、第１のケース部材１１１の接合部２１６と第２のケース部材１１２の突出部２２３とを嵌め合わせるとともに、第１のケース部材１１１の挿嵌孔２１４と第２のケース部材１１２の挿嵌孔２２４とにトルクヒンジ１４０を挿嵌することによって、連結される。
【００４３】
トルクヒンジ１４０は、トルクヒンジ１４０を支軸として、第１のケース部材１１１と第２のケース部材１１２とを回転自在に軸支するとともに、第１のケース部材１１１と第２のケース部材１１２とを相対的に所定の力で付勢する。したがって、第１のケース部材１１１と第２のケース部材１１２とは、トルクヒンジ１４０を支軸として回転自在であり、図１に示す、組み立てた開口状態となるように、支軸を中心にして両ケース部材１１１，１１２のなす角が所定角度（９０°）となるように付勢されている。
【００４４】
また、第２のケース部材１１２と第３のケース部材１１３とは、回転ヒンジ１５０によって、連結される。第２のケース部材１１２と第３のケース部材１１３とは、第２のケース部材１１２の切欠部２２５と第３のケース部材１１３の突設部２３２とを嵌め合わせるとともに、第２のケース部材１１３の挿通孔２２６と第３のケース部材１１３の挿通孔２３３とに回転ヒンジ１５０を挿通させることによって、連結される。
【００４５】
回転ヒンジ１５０は、第２のケース部材１１２と第３のケース部材１１３とに対して、付勢力を与えるものではなく、外部から付与された応力に対して、回転ヒンジ１５０を支軸として、第２のケース部材１１２と第３のケース部材１１３とを回動させるものである。このようにして、第２のケース部材１１２と第３のケース部材１１３とは、回転ヒンジ１５０を支軸として回転自在となっている。
【００４６】
また、第２のケース部材１１２と第３のケース部材１１３とは、開口状態において、第３のケース部材１１３のストッパ２３４と第２のケース部材１１２のストッパ受け部２２９とが係止することにより、回転ヒンジ１５０を支軸として、一定以上、開かないようになっている。具体的には、図１に示す開口状態において、第２のケース部材１１２と第３のケース部材１１３とが、回転ヒンジ１５０を支軸として、所定角度（１３５°）以上、開かないようになっている。
【００４７】
一方、詳細については後述する収納状態の説明で述べるが、第２のケース部材１１２と第３のケース部材１１３とは、回転ヒンジ１５０を支軸として、所定角度まで回動すると、第２のケース部材１１２の側壁部２２１に形成された摺接溝１６１と第３のケース部材１１３の側壁部２３１とが係止することにより、回動が規制され、所定角度以下に回動しないようになっている。
【００４８】
なお、第３のケース部材１１３〜第６のケース部材１１６の連結についても、上述した第１のケース部材１１１〜第３のケース部材１１３の連結とほぼ同様である。具体的には、第４のケース部材１１４と第５のケース部材１１５とは、トルクヒンジ１４０によって連結されている。また、第３のケース部材１１３と第４のケース部材１１４との連結、第５のケース部材１１５と第６のケース部材１１６との連結、および第６のケース部材１１６と第１のケース部材１１１との連結は、それぞれ回転ヒンジ１５０によって連結されている。
【００４９】
ここで、図１に示す開口状態において、中間部材（第３のケース部材１１３および第６のケース部材１１６）が介在することにより、中間部材と中間部材に接合するケース部材とのなす角が１３５°になる点について、補足する。なお、ここでは、中間部材には第３のケース部材１１３を例に挙げて、説明するが、第６のケース部材１１６についても同様である。
【００５０】
第３のケース部材１１３は、側壁部２３１が略直角二等辺三角形状に形成されている。また、第３のケース部材１１３は、回転ヒンジ１５０によって軸支される２カ所の支軸を備え、第２のケース部材１１２および第４のケース部材１１４と連結されている。図１に示す開口状態において、第２のケース部材１１２と第４のケース部材１１４とは、互いに直交する方向に配置されており、第３のケース部材１１３を介して、回転ヒンジ１５０によって回転自在に連結されている。これにより、第３のケース部材１１３は、第２のケース部材１１２に対する角度と、第４のケース部材１１４に対する角度とに対して、等しい角度で傾斜して配置される。
【００５１】
したがって、図１に示すように、第３のケース部材１１３は、水平方向に対して４５°傾くことになる。これにより、第３のケース部材１１３は、第２のケース部材１１２および第４のケース部材１１４とのなす角が直角二等辺三角形の鋭角（４５°）を加算した値の１３５°となって配置される。
【００５２】
このように、中間部材が配置されることにより、開口状態において、安定した形状を保持できる。また、中間部材の底面部の長さを短くすることができ、後述する収納状態において、高さ方向の成分を小さくすることができる。
【００５３】
（第１のロック機構２７０の構成）
つぎに、第１のロック機構２７０の構成について説明する。第１のロック機構２７０は、第１のケース部材１１１と、第５のケース部材１１５とをロックすることにより、開口状態を保持するためのものである。第１のロック機構２７０は、回転バー２７１と、対構成の第１のアーム部材２７２（第１のロック部材）と、第１のボタン１７０と、を備えて構成される。
【００５４】
回転バー２７１は、第１のケース部材１１１の支持受２１８に支持される。第１のアーム部材２７２は、回転バー２７１の両端に配置されている。第１のアーム部材２７２は、略円弧状に形成されており、一端に鉤状の係止片（不図示）が形成されており、他端には回転バー２７１に嵌通する嵌通孔２７３が形成されている。回転バー２７１に嵌通する嵌通孔２７３は、回転バー２７１に固設されており、回転バー２７１に連動して回転するようになっている。
【００５５】
第１のボタン１７０は、回転バー２７１の略中央に配置されている。第１のボタン１７０は、板状に形成された板状部材２７５の中央に回転バー２７１に嵌通する嵌通孔２７６が設けられている。また、第１のボタン１７０は、図１に示すように、一端が第１のケース部材１１１の表示ユニット１３０側に突出している。また、回転バー２７１に嵌通する嵌通孔２７６は、回転バー２７１に固設されており、回転バー２７１に連動して回転するようになっている。
【００５６】
つぎに、図３を用いて、第１のロック機構２７０の詳細について、説明する。図３は、本発明の実施の形態１にかかる第１のロック機構の断面図である。図３は、開口状態における第１のロック機構２７０を示したものである。
【００５７】
第１のロック機構２７０は、蝶番ばね３０３を備え、蝶番ばね３０３の一端がアーム側固定部材３０１によって固定され、他端がケース側固定部材３０２によって固定されるとともに、中央の巻回し部が回転バー２７１の同軸上に遊嵌されている。第１のアーム部材２７２は、蝶番ばね３０３により、矢印３１０方向に付勢されており、血圧計１００の開口状態において、係止片２７７が第５のケース部材１１５に設けられている第１の係止突起２５６に係止するようになっている。
【００５８】
（第２のロック機構２８０の構成）
つぎに、第２のロック機構２８０の構成について、図２を基に説明する。図２に示す第２のロック機構２８０は、第２のケース部材１１２と、第５のケース部材１１５とをロックすることにより、収納状態を保持するためのものである。
【００５９】
第２のロック機構２８０は、第２のアーム部材２８１（第２のロック部材）と、回転伝達部材２８２と、第２のボタン１８０と、回転バー２８４と、を備えて構成される。第２のアーム部材２８１は、回転バー２８４の両端に配置されている。第２のアーム部材２８１は、一端に、鉤状に形成された係止片２８５と、係止片２８５の背面側に傾斜部２８６とを備えて構成されている。また、第２のアーム部材２８１は、他端に回転バー２８４に嵌通する嵌通孔２８７を備えて構成されている。回転バー２８４に嵌通する嵌通孔２８７は、回転バー２８４に固設されており、回転バー２８４に連動して回転するようになっている。
【００６０】
回転伝達部材２８２は、Ｌ字状に構成され、一端に嵌通孔２８８を備えて構成される。回転伝達部材２８２は、回転バー２８４の略中央に配置され、一端の嵌通孔２８８が回転バー２８４に固設され、回転バー２８４に連動して回転するようになっている。また、回転伝達部材２８２の他端は、第２のボタン１８０に接続されている。回転バー２８４は、第２のアーム部材２８１および回転伝達部材２８２を連結し、第２のケース部材１１２の支持受２２７に支持されている。
【００６１】
つぎに、図４を用いて、第２のロック機構２８０の詳細について、説明する。図４は、本発明の実施の形態１にかかる第２のロック機構の断面図である。図４は、開口状態における第２のロック機構２８０を示したものである。第２のロック機構２８０は、蝶番ばね４０３を備え、蝶番ばね４０３の一端がアーム側固定部材４０１によって固定され、他端がケース側固定部材４０２によって固定されるとともに、中央の巻回し部が回転バー２８４に遊嵌している。
【００６２】
また、回転伝達部材２８２は、第２のボタン１８０と接続されている。また、第２のボタン１８０は、鍔状部材２８９が第２のケース部材１１２に設けられた収納孔２２２の底部２９０に当接することによって抜け防止の処理が施されているとともに、第２のケース部材１１２の表面と略等しい高さの表面に保たれている。
【００６３】
（トルクヒンジ１４０の構成）
つぎに、図５−１を用いて、トルクヒンジ１４０の構成について説明する。図５−１は、本発明の実施の形態１にかかるトルクヒンジの分解斜視図である。トルクヒンジ１４０は、第１の筒部材５１０と、弾性ばね５２０と、第２の筒部材５３０と、を備えて構成されている。
【００６４】
第１の筒部材５１０は、円筒状に形成されたものであり、一端に開口部５１１が形成され、他端は閉じられた封止部５１２となっている。第１の筒部材５１０の封止部５１２側は、断面がＤ字カットされており、外周の一部に断面が平面上に形成された平面部５１３が形成されている。また、第１の筒部材５１０の外周面上のうち、封止部５１２側には、弾性ばね５２０が係止する係止孔５１４が形成されている。
【００６５】
弾性ばね５２０は、螺旋状に形成されている。弾性ばね５２０の両端は、それぞれ、端部が屈曲突出して形成され、一端が第１の筒部材５１０に係止する第１の係止部５２１となり、他端が第２の筒部材５３０に係止する第２の係止部５２２となっている。
【００６６】
第２の筒部材５３０は、円筒状に形成されたものであり、一端に開口５３１が形成され、他端は六角形状に形成された頭部５３２を形成している。頭部５３２には、溝部５３３が形成されている。溝部５３３には、弾性ばね５２０の第２の係止部５２２が係止する係止孔５３４が形成されている。
【００６７】
上述した、第１の筒部材５１０と、弾性ばね５２０と、第２の筒部材５３０と、を組み合わせることにより、実施の形態１にかかるトルクヒンジ１４０が構成される。具体的には、第１の筒部材５１０の開口部５１１に弾性ばね５２０を挿入し、弾性ばね５２０の第１の係止部５２１を係止孔５１４に挿通することによって係止する。
【００６８】
そして、弾性ばね５２０が挿入された状態の第１の筒部材５１０を、第２の筒部材５３０内に挿入する。このとき、弾性ばね５２０の第２の係止部５２２を、第２の筒部材５３０の係止孔５３４に挿通することによって係止する。なお、第１の筒部材５１０の内周面、第２の筒部材５３０の内周面、および弾性ばね５２０の表面には、グリスが塗布されている。
【００６９】
したがって、第１の筒部材５１０と第２の筒部材５３０とは、相対的に回転自在であり、弾性ばね５２０は、この回転方向に対する付勢力を発生させる。
【００７０】
図５−２は、本発明の実施の形態１にかかるトルクヒンジの挿嵌を示した説明図である。ここでは、トルクヒンジ１４０を用いて、第１のケース部材１１１と第２のケース部材１１２とを連結した場合について説明するが、第４のケース部材１１４と第５のケース部材１１５との連結についても、同様である。また、トルクヒンジ１４０の挿嵌は、開口状態でおこなうものとする。なお、開口状態とは、図１に示すように、トルクヒンジ１４０を支軸として、第１のケース部材１１１と第２のケース部材１１２とのなす角が、たとえば、９０°の状態である。
【００７１】
トルクヒンジ１４０は、第１のケース部材１１１の挿嵌孔２１４、および第２のケース部材１１２の挿嵌孔２２４に挿嵌される。トルクヒンジ１４０が挿嵌されると、トルクヒンジ１４０のＤ字カット部、具体的には、トルクヒンジ１４０の平面部５１３が、第１のケース部材１１１の留付孔２１５に対応した位置に配置される。
【００７２】
そして、留付孔２１５から留付部材５４０を挿入することにより、トルクヒンジ１４０の一端が固定される。一方、トルクヒンジ１４０の頭部５３２は、六角形状に形成された第２のケース部材１１２の挿嵌孔２２４に嵌め込まれることにより、固定される。これにより、第１のケース部材１１１と第２のケース部材１１２とは、トルクヒンジ１４０を支軸として、回転自在となっている。
【００７３】
また、付勢力については、たとえば、開口状態でトルクヒンジ１４０を挿嵌すれば、開口状態において、トルクヒンジ１４０の付勢力を小さくできる。一方、この場合において、開口状態から変形した状態、たとえば、トルクヒンジ１４０を支軸として、第１のケース部材１１１と第２のケース部材１１２とのなす角が、９０°から開いた場合には、開口状態である９０°に戻ろうとする付勢力が作用する。
【００７４】
また、実施の形態１にかかるトルクヒンジ１４０は、付勢力を調整することができる。具体的には、トルクヒンジ１４０の付勢力は、頭部５３２を左右に回転させることによって調整することができる。より具体的には、トルクヒンジ１４０の付勢力は、トルクヒンジ１４０の一端が留付部材５４０に留め付けられているため、他端の頭部５３２の位置（位相）によって調整することができる。したがって、六角形状に形成された頭部５３２を、６０°ごとに頭部５３２を左右の回転方向に回すことにより、付勢力を弱めたり、強めたりすることができる。
【００７５】
また、トルクヒンジ１４０の付勢力の調整は、トルクヒンジ１４０を左右に回転させておこなう手法に限られない。トルクヒンジ１４０の付勢力は、トルクヒンジ１４０を支軸として、第１のケース部材１１１と第２のケース部材１１２とのなす角によって相対的に決定される。したがって、第１のケース部材１１１と第２のケース部材１１２とのなす角を９０°からずらした位置でトルクヒンジ１４０を挿嵌すれば、ずらした角度分だけ付勢力を調整することができる。
【００７６】
また、頭部５３２の形状を八角形、または、それ以上の多角形にすれば、頭部５３２を回すことのできる角度が小さくなるので、より付勢力の微調整が可能になる。また、一方で、頭部５３２の保持力を上げ、トルクヒンジ１４０の付勢力をより確実に挿嵌孔２２４に伝達させるためには、頭部５３２を、六角形より小さい、たとえば、四角形にしてもよい。また、実施の形態１において、トルクヒンジ１４０は側面２カ所、両面で計４カ所に４個用いているが、回転ヒンジ１５０の配置されている部位の全てにトルクヒンジ１４０を用いてもよい。
【００７７】
（カフ１２０の構成）
つぎに、図６を用いて、カフ１２０の構成について説明する。図６は、本発明の実施の形態１にかかるカフの分解斜視図である。実施の形態１に用いられるカフ１２０には、カフリング６１０と、阻血袋６２０と、カフ帯６３０と、を備えて構成されている。
【００７８】
カフリング６１０は、ポリエチレン製であり、２つの開口部６１１を形成している。また、カフリング６１０の両端には、それぞれ、支持部材として、樹脂製リングまたはコイルばね状の金属リングなどの弾性リング６１２が設けられている。
【００７９】
阻血袋６２０は、ポリウレタン製であり、吸入排気用チューブ６２１を介して、不図示のエアポンプに接続される。カフ帯６３０は、ナイロン製であり、阻血袋６２０にエアが送り込まれた際の外側への膨張を抑えるものである。このカフ帯６３０は、軸方向の伸張率に対して、円周方向の伸張率が極めて低いものが用いられる。
【００８０】
実施の形態１にかかるカフ１２０は、弾性リング６１２が、図２に示す第５のケース部材１１２のカフ嵌合溝２５９に嵌合するようになっている。また、同様に、第２のケース部材１１２のカフ嵌合溝に対しても、弾性リング６１２が嵌合している。
【００８１】
また、実施の形態１にかかるカフ１２０は、測定時において、不図示のエアポンプによって阻血袋６２０の内腔が加圧された際に、カフ帯６３０が阻血袋６２０の外側への膨張を制限するようになっている。特に、カフ帯６３０は、軸方向に比べて周方向の伸張率が低いものであるため、阻血袋６２０の外側への膨張を、より制限するようになっている。
【００８２】
（表示ユニット１３０の構成）
つぎに、図７を用いて、本発明の実施の形態１にかかる血圧計１００の表示ユニット１３０の構成について説明する。図７は、本発明の実施の形態１にかかる血圧計の表示ユニットを示した説明図である。表示ユニット１３０は、第１のケース部材１１１に収納されている。表示ユニット１３０は、表示画面７１０と、操作部７２０とから構成されている。
【００８３】
表示画面７１０は、最高血圧値表示部７１１と、最低血圧値表示部７１２と、脈拍表示部７１３とからなる。最高血圧値表示部７１１は、最高血圧値を表示する。最低血圧値表示部７１２は、最低血圧値を表示する。脈拍表示部７１３は、脈拍を表示する。
【００８４】
操作部７２０は、電源／測定ボタン７２１とメモリボタン７２２とからなる。電源／測定ボタン７２１は、使用者の操作によって、電源のオンオフの入力がおこなわれる。メモリボタン７２２は、使用者の操作によって、測定後の各測定値をメモリに記憶させるための入力がおこなわれる。なお、表示ユニット１３０への電源の供給は、図２に示す第４のケース部材１１４の電池設置部２４３に収容されるバッテリによっておこなわれる。
【００８５】
また、図７は、使用者が血圧計１００に上腕を挿通させて、血圧を測定する際に、使用者から見える表示ユニット１３０を示している。実施の形態１においては、第１のケース部材１１１の天板部２１０に表示ユニット１３０を装着しているため、表示画面７１０に対して良好な視認性を得ることができる。
【００８６】
（血圧計１００の機能的構成）
つぎに、図８を用いて、本発明の実施の形態１にかかる血圧計１００の機能的構成について説明する。図８は、本発明の実施の形態１にかかる血圧計の機能ブロック図である。なお、血圧計１００は、使用者がカフ内に腕を挿通させて、上述した電源／測定ボタン７２１を押すと、自動的にカフ１２０にエアを送り込んで測定を開始するものである。
【００８７】
血圧計１００は、カフ１２０と、表示ユニット１３０とを備えて構成される。カフ１２０は、阻血袋６２０と、エアポンプ８１１と、エアバルブ８１２と、圧力センサ８１３とを備えて構成される。阻血袋６２０は、吸入排気用チューブ６２１を介して、エアポンプ８１１と、エアバルブ８１２と、圧力センサ８１３とに接続されている。
【００８８】
エアポンプ８１１は、阻血袋６２０の内腔を加圧する。具体的には、測定時において阻血袋６２０の内腔の圧力が所定の圧力となるように圧縮気体を内腔に送り込む。エアバルブ８１２は、阻血袋６２０の内腔の圧力を維持するほか、減圧をおこなう。具体的には、測定時においてエアポンプ８１１によって高圧状態となった阻血袋６２０の内腔の圧力の維持および減圧をおこなうとともに、測定終了後において阻血袋６２０の内腔を大気圧に復帰させる。圧力センサ８１３は、測定時において変化する阻血袋６２０の内腔の圧力を検出する。
【００８９】
また、表示ユニット１３０は、ＣＰＵ８２０と、エアポンプ駆動回路８３０と、エアバルブ駆動回路８４０と、増幅器８５０と、Ａ／Ｄコンバータ８６０と、メモリ８７０と、表示画面７１０と、操作部７２０とを備えて構成される。ＣＰＵ８２０は、血圧計１００全体の制御を司る。エアポンプ駆動回路８３０は、ＣＰＵ８２０からの指令を受けて、エアポンプ８１１の駆動を制御する。エアバルブ駆動回路８４０は、ＣＰＵ８２０からの指令を受けて、エアバルブ８１２の開閉状態を制御する。増幅器８５０は、圧力センサ８１３から出力される阻血袋６２０の圧力検出信号を増幅し、Ａ／Ｄコンバータ８６０に出力する。Ａ／Ｄコンバータ８６０は、増幅器８５０から出力されたアナログ信号をデジタル化し、ＣＰＵ８２０に出力する。
【００９０】
また、ＣＰＵ８２０は、表示ユニット１３０の操作部７２０に入力された指令に基づいて、エアポンプ８１１、エアバルブ８１２および圧力センサ８１３の制御を行なうとともに、測定結果を表示画面７１０に出力する。また、表示画面７１０に表示された測定結果に基づき、使用者によってメモリボタン７２２の操作入力がおこなわれると、ＣＰＵ８２０は、測定結果をメモリ８７０に出力する。そして、メモリ８７０は、測定結果を記憶する。
【００９１】
（第１のロック機構２７０の解除動作）
つぎに、本発明の実施の形態１にかかる第１のロック機構の解除動作について説明する。図９は、本発明の実施の形態１にかかる第１のロック機構の解除動作を示した作用図である。なお、第１のロック機構２７０は、上述したように、第１のケース部材１１１と、第５のケース部材１１５とをロックすることにより、開口状態を保持するためのものである。具体的には、上述したように、開口状態において、第１のロック機構２７０の第１のアーム部材２７２は、蝶番ばね３０３の付勢力によって、第１の係止突起２５６に係止しており、このとき、第１のロック機構２７０の第１のボタン１７０は、蝶番ばね３０３の付勢力によって、矢印９１０の方向に力が作用している。
【００９２】
今、使用者が、血圧計１００の使用を終えたとする。使用者が、第１のボタン１７０に、矢印９２０方向に力を与えたとすると、第１のボタン１７０が回転バー２７１を支軸として矢印９２０方向に傾倒する。このとき、第１のボタン１７０の嵌通孔２７６は、矢印９３０方向に回転する。回転バー２７１は、嵌通孔２７６の回転に連動して、矢印９３０方向に回転する。さらに、回転バー２７１の回転に連動して、第１のアーム部材２７２の嵌通孔２７３が矢印９３０方向に回転する。そして、第１のアーム部材２７２は、回転バー２７１を支軸として、矢印９４０方向に回動する。
【００９３】
このようにして、第１のアーム部材２７２の係止片２７７が第１の係止突起２５６から離間し、第１のロック機構２７０によるロックが解除される。第１のロック機構２７０が解除されると、血圧計１００は折りたたみ可能な状態になる。そして、使用者が第１のケース部材１１１を下方へ押圧することにより、血圧計１００は折りたたまれる。
【００９４】
（収納状態における血圧計１００の構成）
図１０は、本発明の実施の形態１にかかる血圧計の収納状態を示した斜視図である。収納状態において、血圧計１００は、天板部１０１０と、側板部１０２０と、側板部１０３０と、底板部１０４０とによって構成される。天板部１０１０は、第１のケース部材１１１と、第２のケース部材１１２とによって構成される。側板部１０２０は、第３のケース部材１１３によって構成される。側板部１０３０は、第６のケース部材１１６によって構成される。底板部１０４０は、第４のケース部材１１４と、第５のケース部材１１５とによって構成される。
【００９５】
すなわち、矢印１０５０方向において、第１のケース部材１１１と第２のケース部材１１２とを合わせた長さが、第４のケース部材１１４と第５のケース部材１１５とを合わせた長さと等しくなっている。また、矢印１０６０方向において、第３のケース部材１１３と、第６のケース部材１１６とは長さが等しくなっている。
【００９６】
（血圧計１００の開口状態から収納状態への収納動作）
ここで、血圧計１００が開口状態から収納状態へ折りたたまれる際の収納動作について説明する。血圧計１００は、折りたたまれる際の収納動作において、各ケース部材１１１〜１１６がトルクヒンジ１４０および回転ヒンジ１５０を支軸として回動することによって、折りたたまれる。具体的には、第１のロック機構２７０が解除された開口状態から、利用者が、トルクヒンジ１４０の付勢力に抗して、第１のケース部材１１１を押圧すると、第１のケース部材１１１と第２のケース部材１１２とのなす角が、トルクヒンジ１４０を支軸として、１８０°になるまで開く方向に回動する。同様に、第４のケース部材１１４と第５のケース部材１１５とのなす角が、トルクヒンジ１４０を支軸として、１８０°になるまで開く方向に回動する。
【００９７】
一方、回転ヒンジ１５０によって連結される各ケース部材１１１〜１１６は、回転ヒンジ１５０を支軸として、それぞれ回動する。回転ヒンジ１５０を支軸としたケース部材１１１〜１１６の動作について、第３のケース部材１１３と第４のケース部材１１４との動作を例に挙げて説明する。第３のケース部材１１３と第４のケース部材１１４とは、図１に示す開口状態（回転ヒンジを支軸として、なす角が１３５°）から、回転ヒンジ１５０を支軸として、所定角度（９０°）まで回動すると、第４のケース部材１１４の側壁部２４０に形成された摺接溝１６２と第３のケース部材１１３の側壁部２３１とが係止することにより、回動が規制されるようになっている。
【００９８】
また、第１のケース部材１１１の摺接溝１６０と第６のケース部材１１６の側壁部２６１についても、同様に、第１のケース部材１１１の摺接溝１６０と第６のケース部材１１６とのなす角が９０°になる位置で係止し、回動が規制されるようになっている。また、第２のケース部材１１２の摺接溝１６１と第３のケース部材１１３の側壁部２３１とについても、同様に、第２のケース部材１１２の摺接溝１６１と第３のケース部材１１３とのなす角が９０°になる位置で係止し、回動が規制されるようになっている。
【００９９】
このように、回転ヒンジ１５０で連結される各ケース部材１１１〜１１６が、回転ヒンジ１５０を支軸として各なす角が９０°以下にならないことにより、血圧計１００は、収納状態において、直方体形状を形成することができる。したがって、血圧計１００は、直方体の歪んだ平行四辺形の形状にならず、高さ方向を形成する第３のケース部材１１３および第６のケース部材１１６に最低限の大きさのものを用いながら、カフ１２０を収容するスペースを確保した直方体形状を保持するようになっている。また、血圧計１００は、不要な突出のない直方体形状であるため、収納性がよいだけでなく、形状が安定しているため、剛性も向上する。
【０１００】
また、血圧計１００の収納状態において、カフ１２０は、弾性リング６１２が弾性変形することにより、各ケース部材１１１〜１１６内に収納される。また、血圧計１００の収納状態では、第２のケース部材１１２と、第５のケース部材１１５とが、一部対向配置される。そして、第２のロック機構２８０が、第２のケース部材１１２と第５のケース部材１１５とをロックすることにより、収納状態が保持されるようになっている。
【０１０１】
（第２のロック機構２８０のロック動作）
図１１は、本発明の実施の形態１にかかる第２のロック機構のロック動作を示した作用図である。血圧計１００の収納動作時において、第１のケース部材１１１と第２のケース部材１１２とは、トルクヒンジ１４０を支軸として、第１のケース部材１１１と第２のケース部材１１２とのなす角が増大していき、天板部１０１０が形成されていく。
【０１０２】
また、第４のケース部材１１４と第５のケース部材１１５についても同様に、トルクヒンジ１４０を支軸として、第４のケース部材１１４と第５のケース部材１１５とのなす角が増大していき、底板部１０４０が形成されていく。このとき、天板部１０１０は、底板部１０４０に対して矢印１１０１方向に移動し、底板部１０４０は、天板部１０１０に対して矢印１１０２方向に移動する。
【０１０３】
そして、血圧計１００が所定量折りたたまれると、第２のアーム部材２８１の傾斜部２８６と、第５のケース部材１１５に設けられる第２の係止突起２５７とが接触する。さらに、血圧計１００が折りたたまれてくると、矢印１１１０方向に示すように、傾斜部２８６が第２の係止突起２５７を滑るとともに、第２のアーム部材２８１が矢印１１１０方向に開いていく。そして、第２のアーム部材２８１の係止片２８５が第２の係止突起２５７を越えるとロックがかかるようになっている。
【０１０４】
図１２は、本発明の実施の形態１にかかる第２のロック機構によるロック時の状態を示した作用図である。第２のロック機構２８０は、第２のアーム部材２８１が第２の係止突起２５７に係止することにより、第２のケース部材１１２と、第５のケース部材１１５とをロックしている。なお、このとき、トルクヒンジ１４０の付勢力により、天板部１０１０には矢印１２０１方向に相対的に力が働き、また、底板部１０４０には矢印１２０２方向に相対的に力が働いている。このように、実施の形態１においては、第２のロック機構２８０が、第２のケース部材１１２と、第５のケース部材１１５とをロックすることにより、トルクヒンジ１４０の付勢力に抗して、血圧計１００の収納状態を保持している。
【０１０５】
（血圧計１００の収納状態から開口状態への開口動作）
つぎに、血圧計１００の収納状態から開口状態への開口動作について説明する。図１３は、本発明の実施の形態１にかかる第２のロック機構の解除動作を示した作用図である。今、使用者が、第２のボタン１８０を押下し、つまり、矢印１３１０方向に力を与えたとする。すると、回転伝達部材２８２が回転バー２８４を支軸として傾き、回転伝達部材２８２の嵌通孔２８８が矢印１３２０方向に回転する。そして、嵌通孔２８８の回転に連動して、回転バー２８４が矢印１３２０方向に回転する。さらに、回転バー２８４の回転に連動して、第２のアーム部材２８１の嵌通孔２８７が矢印１３２０方向に回転する。そして、第２のアーム部材２８１は、回転バー２８４を支軸として、矢印１３３０方向に回動する。このようにして、第２のアーム部材２８１の係止片２８５が第２の係止突起２５７から離間し、第２のロック機構２８０によるロックが解除される。
【０１０６】
第２のロック機構２８０が解除されると、トルクヒンジ１４０の蓄圧された付勢力により、血圧計１００は、収納状態から、図１に示す開口状態に引き起こされる。具体的には、天板部１０１０が底板部１０４０に対して矢印１３４０方向に移動し、また、底板部１０４０が天板部１０１０に対して矢印１３５０方向に移動する。このとき、第１のケース部材１１１と第２のケース部材１１２とは、トルクヒンジ１４０の蓄圧された付勢力により、トルクヒンジ１４０を支軸として、第１のケース部材１１１と第２のケース部材１１２とのなす角が１８０°から、図１に示す９０°になるまで減少する方向に回動する。同様に、第４のケース部材１１４と第５のケース部材１１５とは、トルクヒンジ１４０を支軸として、第４のケース部材１１４と第５のケース部材１１５とのなす角が１８０°から９０°になるまで減少する方向に回動する。
【０１０７】
また、図１０に示す回転ヒンジ１５０によって連結される各ケース部材（具体的には、第１のケース部材１１１と第６のケース部材１１６、第２のケース部材１１２と第３のケース部材１１３、第３のケース部材１１３と第４のケース部材１１４、第５のケース部材１１５と第６のケース部材１１６）は、回転ヒンジ１５０を支軸として、各ケース部材のなす角が、図１０に示す９０°の状態から、図１に示す１３５°になるまで、相互に開く方向に回動する。
【０１０８】
そして、図１に示す開口状態になると、トルクヒンジ１４０の付勢力が小さくなるのと同時に、たとえば、第３のケース部材１１３に設けられるストッパ２３４が、第２のケース部材１１２のストッパ受け部２２９および第４のケース部材１１４のストッパ受け部２４９に係止されることにより、第２のケース部材１１２と第３のケース部材１１３との回動動作、および第３のケース部材１１３と第４のケース部材１１４との回動動作は規制される。同様に、第６のケース部材１１６に設けられたストッパにより、第５のケース部材１１５と第６のケース部材１１６との回動動作、および第１のケース部材１１１と第６のケース部材１１６との回動動作は規制される。
【０１０９】
そして、開口状態において、血圧計１００は、第１のロック機構２７０によって、第１のケース部材１１１と第５のケース部材１１５とがロックされる。また、カフ１２０は、弾性リング６１２が第２のケース部材１１２のカフ嵌合溝、および第５のケース部材１１５のカフ嵌合溝２５９に嵌合していることにより、各ケース部材１１１〜１１６の開口動作に伴って、円筒状に形成される。このようにして、血圧計１００は、収納状態から開口状態に引き起こされる。
【０１１０】
なお、実施の形態１にかかる第１のロック機構２７０において、第１のボタン１７０は、使用者が直接、板状部材２７５を傾倒させることによって、回転バー２７１を回転させるようにしたが、このような構成に限らず、簡単な操作により、回転バー２７１を回転させることができるものであればいずれの構成でもよい。具体的には、たとえば、図４に示すように、第２のロック機構２８０に用いられる第２のボタン１８０と、回転伝達部材２８２とを用いて、当該ボタンの押下によって、回転バー２７１を回転させるようにしてもよい。
【０１１１】
なお、実施の形態１において、電源のオンオフについては、図７に示すように、表示ユニット１３０の電源／測定ボタン７２１によっておこなわれるが、このような手法に限らず、開口状態を保持する第１のロック機構２７０がロックまたは解除した際に、電源のオンオフをおこなってもよいし、収納状態を保持する第２のロック機構２８０がロックまたは解除した際に、電源のオンオフをおこなってもよい。
【０１１２】
具体的には、第１のロック機構２７０を解除した際に電源をオフにする場合には、たとえば、第１のボタン１７０の操作により第１のボタン１７０が傾倒したときに、電源がオフになるようにすればよい。また、第２のロック機構２８０がロックされた際に電源をオフにする場合には、たとえば、第２のアーム部材２８１が第２の係止突起２５７に係止したときに、電源がオフになるようにすればよい。
【０１１３】
また、第１のロック機構２７０がロックした際に電源をオンにする場合には、第１のロック機構２７０のロックにより、第１のボタン１７０が所定の位置および所定の姿勢となったときに電源がオンになるようにすればよい。なお、この場合、電源がオンになった状態で長時間放置されるとバッテリを不必要に消費してしまうので、電源がオンになった後、所定時間経過した際に、電源がオフになるようにすればよい。
【０１１４】
以上説明したように、本発明の実施の形態１にかかる血圧計１００によれば、複数のケース部材１１１〜１１６が互いに回動自在に連結されてカフ１２０をリング状に取り囲むことにより、複数のケース部材１１１〜１１６が折りたたまれた収納状態と開口した開口状態を取ることができる。したがって、全てのケース部材１１１〜１１６が両端支持構造となり、強度を損ねることなく小型化を実現することができる。
【０１１５】
また、本発明の実施の形態１にかかる血圧計１００によれば、トルクヒンジ１４０および回転ヒンジ１５０により連結された複数のケース部材１１１〜１１６を備え、複数のケース部材１１１〜１１６のうち、フタとなる第１のケース部材１１１に表示ユニット１３０を設けたので、装置の小型化を図りながら、特に収納時における装置の小型化を実現できるとともに、表示画面７１０に対する視認性を向上させることができる。
【０１１６】
また、本発明の実施の形態１にかかる血圧計１００によれば、カフ１２０の外周を囲む複数のケース部材１１１〜１１６を設け、トルクヒンジ１４０および回転ヒンジ１５０によって複数のケース部材１１１〜１１６を回動自在に連結し、カフ１２０が開口した開口状態と、カフ１２０が収納した収納状態と、に複数のケース部材１１１〜１１６を変形させるようにした。また、第１のロック機構２７０、および第２のロック機構２８０を備え、カフ１２０が開口した状態、およびカフ１２０が収納した状態を保持するようにした。
【０１１７】
したがって、装置の小型化を図りながら、使用時においては安定した形状を保持できるとともに、特に、収納時において装置の小型化を実現できる。また、収納状態において、小型で表面がフラットな直方体になるため、複数の血圧計１００を積載した場合などに収納性が向上し、倉庫などにおける収納中や運搬中に効果的である。
【０１１８】
また、本発明の実施の形態１にかかる血圧計１００によれば、第１のケース部材１１１と第２のケース部材１１２との接続、および、第４のケース部材１１４と第５のケース部材１１５との接続に、トルクヒンジ１４０を用いた。したがって、収納状態において、開口状態に引き起こされる方向に付勢力が働いているので、付勢力によって収納状態から開口状態への引き起こしを簡単におこなうことができる。
【０１１９】
また、本発明の実施の形態１にかかる血圧計１００によれば、トルクヒンジ１４０の付勢力を調整するように、トルクヒンジ１４０の頭部５３２の形状、およびケース部材（たとえば、第２のケース部材１１２）の挿嵌孔２２４を六角形状にし、トルクヒンジ１４０のトルク調整がおこなえる。したがって、使用者にとって、違和感のない速度で、収納状態から開口状態に開く速度を調整できる。
【０１２０】
また、本発明の実施の形態１にかかる血圧計１００によれば、カフ１２０は、カフリング６１０の外側に阻血袋６２０を設け、さらに阻血袋６２０の外側にカフ帯６３０を設けた。したがって、阻血袋６２０に空気が送り込まれ、阻血袋６２０が膨れた場合に、カフ帯６３０が阻血袋６２０の外側への膨張を制限するので、効率よく阻血袋６２０の圧力を上昇させ、挿入された腕を圧迫することができる。
【０１２１】
また、本発明の実施の形態１にかかる血圧計１００によれば、カフ帯６３０には、軸方向に対する周方向の伸張率が低いものを用いた。したがって、測定時において、軸方向に比べて周方向に大きく伸張する力が作用する阻血袋６２０に対して、周方向の伸びを抑えることができ、効率よく阻血袋６２０の圧力を上昇させ、挿入された腕を圧迫することができる。
【０１２２】
また、本発明の実施の形態１にかかる血圧計１００によれば、カフリング６１０は、２つの開口部を有し、２つの開口部には弾性リング６１２が設けられており、弾性リング６１２は、第２のケース部材１１２のカフ嵌合溝、および第５のケース部材１１５のカフ嵌合溝２５９に嵌合している。したがって、各ケース部材１１１〜１１６の収納動作および開口動作に合わせて、カフ１２０を収納または開口させることができる。また、使用者は、カフ１２０の位置調節や、円筒状になるように形を整える等の手間を省くことができる。
【０１２３】
また、本発明の実施の形態１にかかる血圧計１００によれば、第１のロック機構２７０を設けた。具体的には、血圧計１００の開口状態で、第３のケース部材１１３を介して隣接する第１のケース部材１１１と第５のケース部材１１５間に位置する第１のアーム部材２７２を第１のケース部材１１１側に設け、また、第１のアーム部材２７２が係止される第１の係止突起２５６を第５のケース部材１１５に設けた。したがって、開口状態を保持することができ、測定中に、血圧計１００が折りたたまれてしまうことを防止できる。また、測定中に、反対側へ倒れることをも防止できる。
【０１２４】
また、本発明の実施の形態１にかかる血圧計１００によれば、第１のロック機構２７０は、第１のアーム部材２７２の係止を解除する第１のボタン１７０を備えて構成される。したがって、使用者は、簡単なボタン操作によって、第１のロック機構２７０を解除することができる。
【０１２５】
また、本発明の実施の形態１にかかる血圧計１００によれば、第２のロック機構２８０を設けた。具体的には、血圧計１００の収納状態で、第５のケース部材１１５との間に位置する第２のアーム部材２８１を第２のケース部材１１２側に設け、また、第２のアーム部材２８１が係止される第２の係止突起２５７を第５のケース部材１１５に設けた。したがって、血圧計１００の収納状態を保持することができ、血圧計１００が開口状態へ引き起こされてしまうことを防止できる。
【０１２６】
また、本発明の実施の形態１にかかる血圧計１００によれば、第２のロック機構２８０は、第２のアーム部材２８１の係止を解除する第２のボタン１８０を備えるようにした。したがって、使用者は、簡単なボタン操作によって、血圧計１００の収納状態から開口状態へ引き起こすことができる。
【０１２７】
（実施の形態２）
（開口状態における血圧計１４００の構成）
図１４は、本発明の実施の形態２にかかる血圧計の全体構成を示した概要図である。本発明の実施の形態２にかかる血圧計１４００は、４つのケース部材を用いた点で、実施の形態１とは異なる。なお、カフ、表示ユニット、第１のロック機構、第２のロック機構、およびトルクヒンジ等の基本的構成については、実施の形態１と同様の構成であるため、ここではその説明および図示を省略する。
【０１２８】
図１４に示した状態は、血圧計１４００の開口状態である。血圧計１４００は、装置筐体１４０１と、カフ１４０２と、不図示の表示ユニットとから構成されている。装置筐体１４０１は、フタとなる第１のケース部材１４１０と、側板となる第２のケース部材１４２０と、本体となる第３のケース部材１４３０と、側板となる第４のケース部材１４４０と、から構成されている。各ケース部材１４１０〜１４４０の内面には、図示していないが、カフ１４０２が嵌合する嵌合溝が形成されている。
【０１２９】
第１のケース部材１４１０と第２のケース部材１４２０とは、回転ヒンジ１４５０を介して連結されており、回転ヒンジ１４５０を支軸として、回転自在となっている。同様に、第３のケース部材１４３０と、第４のケース部材１４４０とは、回転ヒンジ１４５０を介して連結されている。
【０１３０】
また、第２のケース部材１４２０と第３のケース部材１４３０とは、トルクヒンジ１４６０を介して連結されており、トルクヒンジ１４６０によって付勢されるとともに、トルクヒンジ１４６０を支軸として、回転自在となっている。同様に、第４のケース部材１４４０と、第１のケース部材１４１０とは、トルクヒンジ１４６０を介して連結されている。
【０１３１】
また、第１のケース部材１４１０および第３のケース部材１４３０には、実施の形態１と同様に、それぞれ隣接するケース部材１４２０，１４４０と干渉しないように、内側に摺接溝１４１３，１４３３が設けてある。また、第１のケース部材１４１０と第４のケース部材１４４０とは、トルクヒンジ１４６０を支軸として、所定角度（９０°）以上、開かないようになっている。具体的には、第１のケース部材１４１０の平面部１４１１に、第４のケース部材１４４０の側壁部１４４１が当接することにより、回動が制限されるようになっている。同様に、第３のケース部材１４３０と、第２のケース部材１４２０とは、第３のケース部材１４３０の平面部１４３１に、第２のケース部材１４２０の側壁部１４２１が当接することにより、回動が制限されるようになっている。
【０１３２】
また、第１のケース部材１４１０には、表面に表示ユニットが設けられており、測定時における視認性が良好に保たれている。また、血圧計１４００には、実施の形態１と同様に、不図示の第１のロック機構により、たとえば、第１のケース部材１４１０と第４のケース部材１４４０とをロックすることにより、開口状態が保持されている。
【０１３３】
（収納状態における血圧計１４００の構成）
つぎに、図１５を用いて、実施の形態２にかかる血圧計１４００の収納状態について説明する。図１５は、本発明の実施の形態２にかかる血圧計の収納状態を示した断面図である。血圧計１４００は、第１のロック機構を解除し、利用者が第１のケース部材１４１０を押圧することにより、収納状態になる。収納状態での血圧計１４００は、天板部１５１０と、底板部１５２０とによって構成される。天板部１５１０は、第１のケース部材１４１０と、第４のケース部材１４４０とによって構成される。底板部１５２０は、第２のケース部材１４２０と、第３のケース部材１４３０とによって構成される。この状態において、血圧計１４００は、実施の形態１と同様に、第２のロック機構によって、相互に対向配置されるケース部材、たとえば、第１のケース部材１４１０と第２のケース部材１４２０とがロックされることにより、収納状態が保持される。
【０１３４】
（血圧計１４００の開口状態から収納状態への収納動作）
つぎに、血圧計１４００の開口状態から収納状態への収納動作について、説明する。血圧計１４００は、開口状態から収納状態に変形するにあたり、各ケース部材１４１０〜１４４０がトルクヒンジ１４６０および回転ヒンジ１４５０を支軸として回動することによって、折りたたまれる。具体的には、利用者が、不図示の第１のロック機構の第１のボタンを押した後に、トルクヒンジ１４６０の付勢力に抗して、第１のケース部材１４１０を押圧する。すると、第１のケース部材１４１０と第４のケース部材１４４０とが、トルクヒンジ１４６０を支軸として、第１のケース部材１４１０と第４のケース部材１４４０とのなす角が、図１４に示す９０°の状態から１８０°になるまで開く方向に回動する。同様に、第２のケース部材１４２０と第３のケース部材１４３０とが、トルクヒンジ１４６０を支軸として、第２のケース部材１４２０と第３のケース部材１４３０とのなす角が１８０°になるまで開く方向に回動する。
【０１３５】
一方、回転ヒンジ１４５０によって連結される第１のケース部材１４１０と第２のケース部材１４２０とは、回転ヒンジ１４５０を支軸として、第１のケース部材１４１０と第２のケース部材１４２０とのなす角が、図１４に示す９０°の状態から０°になるまで回動する。同様に、回転ヒンジ１４５０によって連結される第３のケース部材１４３０と第４のケース部材１４４０とは、回転ヒンジ１５０を支軸として、第３のケース部材１４３０と第４のケース部材１４４０とのなす角が０°になるまで回動する。
【０１３６】
そして、血圧計１４００の収納状態においては、トルクヒンジ１４６０の付勢力によって開口方向への力が作用しているが、第２のロック機構が第１のケース部材１４１０と第２のケース部材１４２０とをロックしていることにより、血圧計１４００の収納状態が保持される。また、血圧計１４００の収納状態において、カフ１４０２は、弾性リングが弾性変形することにより、各ケース部材１４１０〜１４４０内に収納される。
【０１３７】
また、開口動作については、実施の形態１と同様に、第２のロック機構が解除されると、トルクヒンジ１４６０の蓄圧された付勢力によって、収納状態から開口状態に引き起こされる。血圧計１４００の開口動作において、カフ１４０２は、弾性リングが嵌合溝に嵌合していることにより、各ケース部材１４１０〜１４４０の開口動作に伴って、収納した状態から円筒状に形成される。
【０１３８】
なお、血圧計１４００は、収納状態において、実施の形態１とは異なり、側板部を形成するケース部材が存在しない。詳細には、実施の形態１における中間部材としての第３のケース部材１１３および第６のケース部材１１６が存在しない。そのため、各ケース部材１４１０〜１４４０は、実施の形態１よりも内部に収納力のあるケース部材、具体的には、各ケース部材１４１０〜１４４０を構成する側壁部の高いものを用いればよい。
【０１３９】
以上説明したように、本発明の実施の形態２にかかる血圧計１４００によれば、４つのケース部材１４１０〜１４４０が互いに回動自在に連結されてカフ１４０２をリング状に取り囲むことにより、４つのケース部材１４１０〜１４４０が折りたたまれた収納状態と開口した開口状態を取ることができる。したがって、全てのケース部材１４１０〜１４４０が両端支持構造となり、強度を損ねることなく小型化を実現することができる。
【０１４０】
また、本発明の実施の形態２にかかる血圧計１４００によれば、トルクヒンジ１４６０および回転ヒンジ１４５０により連結された複数のケース部材１４１０〜１４４０を備え、複数のケース部材１４１０〜１４４０のうち、フタとなる第１のケース部材１４１０に表示ユニットを設けたので、装置の小型化を図りながら、表示画面に対する視認性を向上させることができる。
【０１４１】
また、本発明の実施の形態２にかかる血圧計１４００によれば、カフ１４０２の外周を囲む複数のケース部材１４１０〜１４４０を設け、トルクヒンジ１４６０および回転ヒンジ１４５０によって複数のケース部材１４１０〜１４４０を回動自在に連結し、カフ１４０２が開口した開口状態と、カフ１４０２が収納した収納状態と、に複数のケース部材１４１０〜１４４０を変形させるようにした。また、第１のロック機構、および第２のロック機構を備え、カフ１４０２が開口した状態、およびカフ１４０２が収納した状態を保持するようにした。
【０１４２】
したがって、装置の小型化を図りながら、使用時においては安定した形状を保持できるとともに、特に、収納時において装置の小型化を実現できる。また、収納状態において、小型で表面がフラットな直方体になるため、複数の血圧計１４００を積載した場合などに収納性が向上し、倉庫などにおける収納中や運搬中に効果的である。
【産業上の利用可能性】
【０１４３】
以上のように、本発明にかかる血圧計は、生体に装着して血圧を測定する血圧計に有用であり、特に、カフが開口する開口状態とカフが収納された収納状態とに変形自在な血圧計に適している。
【図面の簡単な説明】
【０１４４】
【図１】本発明の実施の形態１にかかる血圧計の全体構成を示した概要図である。
【図２】本発明の実施の形態１にかかる血圧計の分解斜視図である。
【図３】本発明の実施の形態１にかかる第１のロック機構の断面図である。
【図４】本発明の実施の形態１にかかる第２のロック機構の断面図である。
【図５−１】本発明の実施の形態１にかかるトルクヒンジの分解斜視図である。
【図５−２】本発明の実施の形態１にかかるトルクヒンジの挿嵌を示した説明図である。
【図６】本発明の実施の形態１にかかるカフの分解斜視図である。
【図７】本発明の実施の形態１にかかる血圧計の表示ユニットを示した説明図である。
【図８】本発明の実施の形態１にかかる血圧計の機能ブロック図である。
【図９】本発明の実施の形態１にかかる第１のロック機構の解除動作を示した作用図である。
【図１０】本発明の実施の形態１にかかる血圧計の収納状態を示した斜視図である。
【図１１】本発明の実施の形態１にかかる第２のロック機構のロック動作を示した作用図である。
【図１２】本発明の実施の形態１にかかる第２のロック機構によるロック時の状態を示した作用図である。
【図１３】本発明の実施の形態１にかかる第２のロック機構の解除動作を示した作用図である。
【図１４】本発明の実施の形態２にかかる血圧計の全体構成を示した概要図である。
【図１５】本発明の実施の形態２にかかる血圧計の収納状態を示した断面図である。
【符号の説明】
【０１４５】
１００  血圧計
１１１  第１のケース部材
１１２  第２のケース部材
１１３  第３のケース部材
１１４  第４のケース部材
１１５  第５のケース部材
１１６  第６のケース部材
１２０  カフ
１３０  表示ユニット
１４０  トルクヒンジ
１５０  回転ヒンジ
２７０  第１のロック機構
２８０  第２のロック機構
１４００  血圧計
１４０２  カフ
１４１０  第１のケース部材
１４２０  第２のケース部材
１４３０  第３のケース部材
１４４０  第４のケース部材
１４５０  回転ヒンジ
１４６０  トルクヒンジ
【図１】
2008246044.tif 000003
【図２】
2008246044.tif 000004
【図３】
2008246044.tif 000005
【図４】
2008246044.tif 000006
【図５−１】
2008246044.tif 000007
【図５−２】
2008246044.tif 000008
【図６】
2008246044.tif 000009
【図７】
2008246044.tif 000010
【図８】
2008246044.tif 000011
【図９】
2008246044.tif 000012
【図１０】
2008246044.tif 000013
【図１１】
2008246044.tif 000014
【図１２】
2008246044.tif 000015
【図１３】
2008246044.tif 000016
【図１４】
2008246044.tif 000017
【図１５】
2008246044.tif 000018